(57)【要約】  乳児の洗浄および処置するためのシステム（１）であって、該システムは、乳児（Ｎ）を制御された滅菌および温かい状態に保持するための医療機器（２）、支持フレーム（１２）およびそれに固定するように適合された可撓性薄板状要素（１３）を含む前記乳児（Ｎ）を洗浄するための装置（１１）を含む。乳児が洗浄および／または処置されている間、フレーム（１２）および薄板状要素（１３）は、乳児（Ｎ）を受け入れるためのハウジング（１４）を画定する。ハウジング（１４）が前記医療機器（２）中に導入され、外側からアクセスできるように適合され、およびフレーム（１２）が、医用グレードの滅菌可能な金属または非金属材料から作成される管状部材（１５）から構成される単一ユニット構造を含む。【選択図】図１
2018535065.tif 000002
【特許請求の範囲】
【請求項１】
乳児の洗浄および処置のためのシステム（１）であって、
−制御された滅菌および温かい条件下に乳児（Ｎ）を保持するための医療機器（２）；
−前記乳児（Ｎ）を洗浄するための装置（１１）であって、支持フレーム（１２）およびそれに固定されるように適合された可撓性薄板状要素（１３）を含み、乳児が洗浄および／または処置されている間、前記フレーム（１２）および前記薄板状要素（１３）が前記乳児（Ｎ）を受け入れるためのハウジング（１４）を画定する装置（１１）を含み；
前記ハウジング（１４）が前記医療機器（２）中に導入され、外側からアクセスできるように適合されること、および前記フレーム（１２）が、医用グレードの滅菌可能な金属または非金属材料から作成される管状部材（１５）から構成される単一ユニット構造を含むこと、を特徴とするシステム。
【請求項２】
前記医療機器（２）が、内部区画（６）を区切るための移動可能なカバー（５）を備えた固定台（４）を有する保育器（３）を含み、前記ハウジング（１４）が、前記区画（６）中に導入され、前記カバー（５）を通して外側からアクセス可能となるように適合されていることを特徴とする、請求項１に記載のシステム。
【請求項３】
前記医療機器（２）が、前記ハウジング（１４）を位置決めする処置領域（９）および前記台（４）の上部に位置する放射ランプ（１０）を画定する固定台（４）を有する乳児保温器（８）を含むことを特徴とする、請求項１に記載のシステム。
【請求項４】
前記可撓性シート部材（１３）が、医用グレードの滅菌可能な不織布から作製された使い捨て型のクロス（２０）であって、前記フレーム（１２）に連結されるように、および種々の大きさの乳児（Ｎ）を受け入れるような寸法になるように設計されているクロス（２０）を含むことを特徴とする、請求項１に記載のシステム。
【請求項５】
前記洗浄装置（１１）が、液体洗剤（Ｗ）を前記ハウジング（１４）に供給するための手段（２６）を含むことを特徴とする、請求項１に記載のシステム。
【請求項６】
前記供給手段（２６）が、液体洗剤（Ｗ）のために、第１のホース（３０）を介して、第１の貯蔵容器（２９）に連結されたシャワーディスペンサー（２８）を含むことを特徴とする、請求項５に記載のシステム。
【請求項７】
前記洗浄装置（１１）が、前記液体洗剤（Ｗ）を収集および排出するために、前記薄板状要素（１３）に結合された排出手段（２７）を含むことを特徴とする、請求項６に記載のシステム。
【請求項８】
前記排出手段（２７）が、適切な排出連結部（２５）および弁（２４）を介して前記薄板状要素（１３）の下部開口部（２３）に連結された第２のホース（３２）を含むことを特徴とする、請求項７に記載のシステム。
【請求項９】
前記第２のホース（３２）が、前記医療機器の外部の第２の回収貯蔵容器（３３）に連結されていることを特徴とする、請求項８に記載のシステム。
【請求項１０】
前記第１の貯蔵容器（２９）と前記ディスペンサー（２８）との間に挿入された、清浄な液体洗剤（Ｗ）を供給するための第１のポンプ（３１）、前記排出連結部（２５）と前記第２の貯蔵容器（３３）との間に挿入された、汚れた液体洗剤（Ｗ）を排出するための第２のポンプ（３５）、および前記液体洗剤（Ｗ）を殺菌するために、前記第１の貯蔵容器（２９）に流体連通するように適合されたオゾン発生器（３６）を含むことを特徴とする、請求項９に記載のシステム。
【請求項１１】
前記第１の貯蔵容器（２９）および前記第２の貯蔵容器（３３）および前記第１のポンプ（３１）および前記第２のポンプ（３５）ならびに前記オゾン発生器（３６）を支持するために、前記医療機器（２）の外側に配置された移動可能なユニット（４１）を含み、前記移動可能なユニット（４１）が前記オゾン発生器（３６）のポンプ（３１、３５）および前記液体洗剤（Ｗ）の温度を制御するための制御パネル（４７）を備えることを特徴とする、請求項１０に記載のシステム。
【発明の詳細な説明】
【技術分野】
【０００１】
本発明は一般に、乳児のための医療機器の分野に適用され、特に、乳児を洗浄および処置するためのシステムに関する。
【背景技術】
【０００２】
バスタブまたはシャワーが利用できない場合であっても、携帯型装置が乳児の洗浄に使われることは知られている。
【０００３】
これらの既知の装置は、液体洗剤で満たされるか、またはこのような液体の連続供給のための適切な手段と連結され得る。
【０００４】
特許文献１は、乳児のためのハウジングを画定する固定支柱を有し、部分的に水で満たされるように適合されている携帯型乳児洗浄装置を開示している
【０００５】
特に、ハウジングは、ホースを介して共通の衛生器具と流体連通している水入口および同様にホースに連結するように適合されている下部に位置する水出口を備える。
【０００６】
乳児ハウジングは、乳児の洗浄およびすすぎ用の、洗剤、スポンジおよびタオルなどの製品の貯蔵区画をさらに備える。
【０００７】
この先行技術の構成の第１の欠点は、固定支柱の大きさが乳児の大きさまたはこの装置の設置に利用できる外部スペースの大きさに調節できないという理由で、この装置の汎用性が不十分であることである。
【０００８】
さらに、固定支柱は、かなり嵩高いので、装置の輸送および移動が極めて複雑になる。
【０００９】
この欠点により、所定の大きさの健康管理機器、特に乳児用保育器と組み合わせたこの装置の使用ができなくなる。
【００１０】
別の欠点は、各洗浄操作の終わりに、その後の洗浄操作のために、最適衛生状態を確保するように支持物の窪み部を洗浄および殺菌する必要があり、これにより、乳児の洗浄および準備に必要な時間が増え、最適衛生状態が完全には確保されないであろうという点にある。
【００１１】
さらなる欠点は、固定支柱のハウジングが、洗浄作業者によるアクセスならびにその中の乳児の動きを制限し、これにより、全体的洗浄時間がさらに増えることである。
【００１２】
さらに別の欠点は、給水および排水ホースがかなり嵩高く、装置を保育器の区画内部に配置できそうにないことである。
【００１３】
別の重要な欠点は、ハウジングに充填するための液体洗剤がホースを通してしか供給されず、このため、乳児のすすぎ動作を特に複雑にすることである。
【００１４】
特許文献２は、支持フレームおよび乳児を収容するフレームに取りはずし可能なように固定された、使い捨て型のクロスを含む携帯型洗浄装置を開示している。
【００１５】
この装置は、かなり大きな寸法であり、保温器中の乳児の洗浄での使用に好適しないという欠点を有する。
【００１６】
技術的な問題
先行技術を考慮すると、本発明により対処されるべき技術的問題は、乳児用保育器または保温器などの医療機器中に導入でき、非常に迅速で、簡単な洗浄および／または処置操作を可能とする、乳児の洗浄と処置のためのシステムを提供することにあると考えられる。
【先行技術文献】
【特許文献】
【００１７】
【特許文献１】米国特許出願公開第２００８／０１４１４５２号明細書
【特許文献２】米国特許第３７０９９２２８号明細書
【発明の概要】
【発明が解決しようとする課題】
【００１８】
本発明の目的は、極めて効率的で比較的費用対効果が大きい、乳児の洗浄および処置のためのシステムを提供することにより、上述の技術的問題を解決し、上記で考察した欠点を無くすことである。
【００１９】
本発明の具体的な目的は、保育器中でその他の類似の医療デバイスと組み合わせて容易に使用できる、乳児の洗浄と処置のためのシステムを提供することである。
【００２０】
本発明の別の目的は、簡単な製造および保守方法を含む、乳児の洗浄と処置のためのシステムを提供することである。
【００２１】
本発明の別の目的は、種々の大きさの乳児に適合できる、本明細書の上記で考察したシステムを設計することである。
【００２２】
本発明のさらなる目的は、容易に輸送できる、乳児の洗浄と処置のためのシステムを提供することである。
【００２３】
本発明のさらなる目的は、高度の無菌状態で乳児に対する操作の実施を可能とする、乳児の洗浄と処置のためのシステムを提供することである。
【００２４】
本発明のさらに別の目的は、現場で使用するために容易に組み立てることができ、操作中でないときに、ごくわずかなスペースしか必要としない洗浄システムを提供することである。
【課題を解決するための手段】
【００２５】
以降でより明確に説明されるように、これらのおよびその他の目的は、請求項１で定められる、乳児の洗浄および処置のためのシステムにより完全に実現される。
【００２６】
この構成は、容易に保育器または別の医療デバイスの内部区画中に導入でき、単純で費用対効果が大きい構造を有する装置を提供する。
【００２７】
本発明の有利な実施形態は、従属請求項により得られる。
【００２８】
本発明のさらなる特徴および利点は、添付図面を用いて非限定的例として記載された、本発明による乳児の洗浄および処置のためのシステムの好ましい非排他的実施形態についての詳細説明からさらに明らかになるであろう。
【図面の簡単な説明】
【００２９】
【図１】図１は、第１の実施形態による乳児の洗浄および処置のための本発明のシステムの斜視図である。
【図２】図２は、第２の実施形態による乳児の洗浄および処置のための本発明のシステムの斜視図である。
【図３】図３は、本システムの第１の細部のそれぞれの拡大を有する斜視図である。
【図４】図４は、本システムの第２の細部の斜視図である。
【発明を実施するための形態】
【００３０】
図を詳細に参照すると、数字１は、病院または医療施設、ならびに緊急時に家庭または公共の場所で採用されるのが好ましい、乳児の洗浄および処置のためのシステムを一般的に示し、特定する。
【００３１】
本洗浄システム１は、携帯型であり、制御された温かく、無菌の条件下に保持される何らかの医療機器２中に一時的に置かれ、作業者による乳児Ｎの洗浄または処置を可能とする。
【００３２】
特に、作業者が乳児Ｎを洗浄および処置する際に、作業者に作用する物理的および／または機械的な障害は存在せず、また、システム１の使用中に乳児を持ち上げる必要はないであろう。
【００３３】
図１に示す第１の実施形態では、システム１の医療機器２は、基本的に、それ自体、内部区画６を区切るための移動可能なカバー５をその上に備えた固定台４を有する保育器３を含み得る。この区画は通常、乳児Ｎをその中に置けるように制御された条件下、例えば、制御された無菌下で維持される。
【００３４】
カバー５は、作業者が手で区画６の内側にアクセスし、乳児Ｎに処置を行うのを可能とするための１対の第１の入口７をさらに備え得る。
【００３５】
図２に示される本発明の第２の実施例では、システム１の医療機器２は、処置領域９を画定する固定台４を有する乳児保温器８および台４上に位置する放射ランプ１０を備え得る。
【００３６】
システム１は、支持フレーム１２および可撓性薄板状要素１３を有する、乳児Ｎの洗浄および処置用の装置１１をさらに備える。可撓性薄板状要素１３は、フレーム１２に固定し、乳児Ｎが洗浄されている間、乳児を受け入れるためのハウジング１４を画定するように適合されている。
【００３７】
本発明の特有の態様では、ハウジング１４は、医療機器２中に、特に、乳児保温器８の区画６中に導入され、外側からアクセスされるように適合される。
【００３８】
さらに、フレーム１２は、単一ユニット構造を含み、これは、医用グレードの滅菌可能金属または金属材料から作製された管状部材１５で構成される。
【００３９】
場合によっては、管状部材１５は、フレーム１２が所定の範囲の種々の大きさに適合するように、一緒に溶接され、厚みの変動を有し得る。
【００４０】
好都合にも、フレーム１２は、１対の長手方向管状部材１６により画定された、実質的に長方形の平面形状を有し得る。これは、保育器３および乳児保温器８の台４上に置かれ、それぞれの実質的に垂直の柱１８を介して１対の持ち上がった横断方向の管状部材１７と結合されるように設計されている。
【００４１】
実際に、大きさがかなり変動する場合がある乳児を支持するために、長手方向１６、横断方向１７および垂直方向１８部材は、それぞれ実質的に約６１ｃｍ、３５ｃｍおよび１３ｃｍの長さを有するのが好ましい。
【００４２】
好都合にも、図３の拡大図に示されるように、横断方向の管状部材１７は、わずかに外側に突き出た両端を有する。この目的は、本明細書の以降で、説明される。
【００４３】
さらに、薄板状要素１３は、図４に示されるように、医用グレードの滅菌可能不織布から作製され、フレーム１２に連結されるように適合された使い捨て型のクロス２０からなり得る。
【００４４】
クロス２０はまた、実質的に長方形の形状を有し、フレーム１２より大きな平面状寸法およびフレーム１２に折り返され得る周辺部の縁２１を有し、クリップを用いることなく、引き伸ばして、ハウジング１４を形成するために、突起１９に結合され得る。
【００４５】
クロス２０がフレーム１２に取り付けられると、これは、実質的に長方形または楕円形状の上部開口部２２を有する。
【００４６】
したがって、それぞれの洗浄操作の終わりで、作業者は、突起１９から縁２１を外すことにより、フレーム１２からクロス２０を容易に取り外し得る。
【００４７】
場合により、１人または複数の乳児Ｎを洗浄または処置する必要がある場合、または乳児Ｎの入院中にさらなる洗浄または処置操作を実施しなければならない場合、作業者が取りはずし可能なようにそれを新しい使い捨て型のクロス２に連結するように、管状フレーム１２を医療機器２内に残し得る。
【００４８】
好ましくは、クロス２０は、底部に位置し、ハウジング１４中に配置され、乳児Ｎの洗浄に使用した水または別の液体Ｗを排出するための、弁２４および連結部２５を有する、より小さい開口部２３を備え得る。
【００４９】
液体洗剤Ｗの開口部２３に向けた流出が容易なように、クロス２０の医用グレード織物は、不透過性タイプであり、医療機器２の台４は、液体Ｗを開口部２３に向けて送るように適切に傾斜され得る。
【００５０】
装置１１は、ハウジング１４中の液体洗剤Ｗの供給のための手段２６および使用済み液体Ｗの排出／放出のための手段２７をさらに含み得る。
【００５１】
供給手段２６は、第１の貯蔵容器２９とディスペンサー２８との間に挿入された第１のホース３０および第１のポンプ３１を介して第１の貯蔵容器２９に連結されたシャワーディスペンサー２８を備え得る。
【００５２】
排出手段２７は、医療機器２の外側に配置され、液体洗剤Ｗを収集するための連結部２５および第２の貯蔵容器３３を介してクロス２０の開口部２３に連結された第２のホース３２を備え得る。
【００５３】
図１に示すように、ハウジング１４が保育器２の内側に配置される場合、ディスペンサー２８は、乳児Ｎの洗浄のために、第１の入口７を通って区画６に導入され得、第２のホース３２は、カバー５の壁を通り、その中に形成された第２の入口３４を通って、伸びるように適合される。
【００５４】
第２のポンプ３５は、乳児Ｎを洗浄する間に、ハウジング１４中の液体Ｗを吸引するために、排出連結部２５と第２の貯蔵容器３３との間に提供され得る。
【００５５】
好都合にも、弁２４は、ハウジング１４中のいずれかの粒子状物質が、第２のホース３２に入って第２のポンプ３５により吸引されるのを防ぐ。
【００５６】
第１のポンプ３１は、ディスペンサー２８が特に強力な液体Ｗの液体ジェットを乳児Ｎに送出するのを防ぐように、約７Ｌ／分の流速を有し得る。
【００５７】
第２のポンプ３５は、ハウジング１４を極めて短時間に空にするように、約９Ｌ／分の流速を有し得る。
【００５８】
好都合にも、洗浄装置１１は、液体洗剤Ｗの消毒のために、第１の貯蔵容器２９と流体連通しているオゾン発生器３６をさらに含み得る。
【００５９】
例えば、オゾン発生器３６は、第１の貯蔵容器２９内に配置されたエアストーンディフューザー３７を含み得る。
【００６０】
好都合にも、オゾン発生器３６は、小さいホース３９を介して、ディフューザー３７と流体連通した、圧縮空気の流れを生成するためのコンプレッサー３８を含み得る。
【００６１】
適切な電子回路４０は、オゾンを生成するために、空気の流れを介して静電荷を生成するように、コンプレッサー３８とディフューザー３７との間に挿入される。
【００６２】
好ましくは、装置１１は、医療機器２の外側に位置し、第１の貯蔵容器２９および第２の貯蔵容器３３、第１のポンプ３１および第２のポンプ３５ならびにオゾン発生器３６を支持するように適合された移動可能なユニット４１を有し得る。
【００６３】
移動可能なユニット４１は、貯蔵容器２９、３３、ポンプ３１、３５およびオゾン発生器３６を含み、保育器３または乳児保温器８の周りのそれらの移動を容易に行うための車輪４４を備えた底壁４３を有する箱状囲壁４２を有する。
【００６４】
貯蔵容器２９、３３は、約２２Ｌの容量を有するのが好ましい。この容量は、乳児Ｎの洗浄およびすすぎのプロセス全体を通じて、補給なしで液体Ｗのディスペンサー２８への十分な供給を確保するであろう。
【００６５】
囲壁４２は、ステンレス鋼で作成され得、また、乳児Ｎの洗浄および乾燥のための全ての付属品を支持するために実質的に平らな上面４５を有し得る。
【００６６】
さらに、移動可能なユニット４１の外壁４６は、ディスペンサー２８およびハウジング１４に連結されたホース３０、３２を受けるための１対のスリーブ（図示せず）（このスリーブにホースが手動ではめ込まれる）を有し得る。
【００６７】
乳児Ｎの洗浄または処置プロセスの終わりに、作業者は、第２の貯蔵容器３３を空にして、第１の貯蔵容器２９に新しい液体洗剤Ｗを補給するために、ホース３０、３２をそれぞれのスリーブから抜き出し、移動可能なユニット４１を移動させ得る。
【００６８】
好都合にも、装置１１は、液体洗剤Ｗをハウジング１４に供給する前に、その温度をモニターおよび調節するために、第１の貯蔵容器２９内にセンサーおよび抵抗器（図示せず）を含み得る。
【００６９】
移動可能なユニット４１は、その上部に位置し、ポンプ３１、３５およびオゾン発生器３６の作動を制御するように適合された制御パネル４７をさらに含み得る。
【００７０】
制御パネル４７は、センサーおよび抵抗器に連結され、第１の貯蔵容器２９に位置する、液体洗剤Ｗの温度をモニターおよび調節するためのサーモスタット４８を含み得る。
【００７１】
本発明による乳児の洗浄および処置のためのシステムは、添付の特許請求の範囲で開示の発明概念内で、多くの変更および変形が可能である。例えば、装置は、処置キットを含み得る。このキットは、使い捨て型であってもよく、また、タオル、洗剤などの乳児の洗浄および乾燥用の付属品、ならびに液体洗剤の限外濾過用の付属品を含む。
【００７２】
乳児の洗浄および処置のための装置が付随する図を参照しながら記載されてきたが、本開示および特許請求の範囲で参照された数値は、より良く理解されるように使用されているに過ぎず、いかなる態様であっても、請求範囲を制限するように意図されているものではない。
【産業上の利用可能性】
【００７３】
乳児の洗浄用の装置および付属品を大量生産することを目的として、工場において工業規模で生産できるので、本発明は産業上の用途に適用され得る。
【図１】
2018535065.tif 000003
【図２】
2018535065.tif 000004
【図３】
2018535065.tif 000005
【図４】
2018535065.tif 000006
【国際調査報告】
2018535065.tif 000007
2018535065.tif 000008